(57)【特許請求の範囲】
【請求項０１】
紙堆積体のための移送路、この移送路に沿って運動しかつ紙堆積体を第一の位置において把持しこの移送路に沿って第二の位置に紙堆積体を引入れる少なくとも一つのトングを備えた移動把持機構および紙堆積体上に降下可能なプレス機構とを備えており、このプレス機構が空気を圧出させるために紙堆積体を押圧し、他方この紙堆積体がプレス機構に対して相対的に移送路に沿って引かれる様式の、紙堆積体から気泡を除去するための装置において、プレス機構（２４）が下方向に運動する際移動把持機構（８）により案内されるうに構成されていることを特徴とする装置。
【請求項０２】
プレス機構（２４）がプレス機構スライダ（１６）に設けられていること、このプレス機構スライダ（１６）が紙堆積体（３）の移送方向（９）で移送路（１）に対して収斂するように傾斜している少なくとも一つのプレス機構案内部（１４）に沿って運動可能であること、および紙堆積体が移送路（１）を経て引出される際移動把持機構（８）の位置に依存したプレス機構スライダのプレス機構案内部に沿った下降運動を制御するための制御手段（２８，２９）が設けられていることを特徴とする請求項１に記載の装置。
【請求項０３】
プレス機構案内部（１４）と制御手段（２８，２９）とが、トング（１１）のグリッパ（１３）の直ぐ手前でプレス機構（２４）が紙堆積体（３）上に載るように形成されかつ設けられていることを特徴とする請求項１或いは２に記載の装置。
【請求項０４】
プレス機構スライダ（１６）がトングの運動に依存してカム案内によりその持上げられた位置から紙堆積体（３）上に載る位置に運動可能であるように構成されていることを特徴とする請求項１から３までのいずれか一つに記載の装置。
【請求項０５】
プレス機構スライダ（１６）がその移動把持機構（８）に面している端面において少なくとも一つの接触装置（２９）を備えていること、移動把持機構（８）のプレス機構スライダ（１６）に面している側に少なくとも一つの垂直な案内面（２８）が設けられていること、およびスライダの接触装置（２９）が、プレス機構（２４）が紙堆積体（３）上に載るまでの下降運動する間本質的に垂直方向で移動把持機構（８）の案内面（２８）に沿って当接して移動可能であるように構成されていることを特徴とする請求項１から４までのいずれか一つに記載の装置。
【請求項０６】
プレス機構スライダ（１６）の接触装置（２９）が本質的に垂直方向に指向している滑り面として形成されていることを特徴とする請求項５に記載の装置。
【請求項０７】
プレス機構（２３）としてプレス機構スライダ（１６）に回転自在に支承されているプレスローラ（２４）が設けられていることを特徴とする請求項１から６までのいずれか一つに記載の装置。
【請求項０８】
プレス機構スライダ（１６）に可逆駆動可能なスライダ駆動機構（１９）が所属していること、プレス機構スライダ（１６）の駆動機構が、これが下降運動する間は移動把持機構（８）の案内面（２８）に対して押圧するように、そしてプレス機構が載置された後は紙堆積体（３）にプレス作用するように、そして紙堆積体（３）がプレス機構（２３）の下方を引通された後は上方へとその持上げられた位置に移動するように形成されかつ設けられていることを特徴とする請求項１から７までのいずれか一つに記載の装置。
【請求項０９】
移送路（１）が紙堆積体（３）上に載るプレス機構（２３）を押圧するかめの固定反力部として形成されていることを特徴とする請求項１から８までのいずれか一つに記載の装置。
【請求項１０】
プレス機構（２３）が、紙堆積体の異なる高さに適合するように、相応してプレス機構スライダ（１６）に摺動可能に設けられていることを特徴とする請求項１から９までのいずれか一つに記載の装置。
【請求項１１】
スライダ駆動機構（１９）としてピストンを備えておらず案内条片（１４）が内蔵されている空圧シリンダが設けられており、この空圧シリンダが自体プレス機構スライダ（１６）の構成要素であり、その案内条片が同時にプレス案内部として働くように構成されていることを特徴とする請求項８から１０までのいずれか一つに記載の装置。
【発明の詳細な説明】
【０００１】
【発明の属する技術分野】
本発明は、紙堆積体のための移送路、この移送路に沿って運動しかつ紙堆積体を第一の位置において把持しこの移送路に沿って第二の位置に紙堆積体を引入れる少なくとも一つのトングを備えた移動把持機構および紙堆積体上に降下可能なプレス機構とを備えており、このプレス機構が空気を圧出させるために紙堆積体を押圧し、他方この紙堆積体がプレス機構に対して相対的に移送路に沿って引かれる様式の、紙堆積体から気泡を除去するための装置に関する。
【０００２】
【従来の技術】
紙堆積体は連および他の層或いは一枚一枚の枚葉の体積体であり、或いは群にまとめられて重ねられた枚葉であり、これらは移送され、更に処理、例えば包装される。紙堆積体と言う概念は紙堆積体のように処理される他の枚葉材料から成る堆積体おも意味する。
【０００３】
互いに重ねられて堆積体に形成された枚葉の移送は特別慎重にかつ丁寧に行う必要がある。何故なら、このような堆積体は極めて不安定であるからである。枚葉の一枚一枚と群は滑動し易く、従って堆積体はその所望の、一般的に正方形の堆積形状が崩れてしまう。このような理由から、堆積体のこのような不安定さは、枚葉を互いに重ねる際にこの枚葉の間に空気の層を形成する原因となる。この空気は若干の時間の後は枚葉の自重で自然に逃げるが、しかし現代における紙処理機の高い生産速度および移送路を短くしようと言う事情からは、紙堆積体からの空気の自己排気が行なわれるのを待つ時間的なゆとりはない。
【０００４】
こう言ったことから、堆積体を移送するに先立って或いはいる移送の間この堆積体から空気を除去するための種々の装置および方法が知られている。
ドイツ連邦共和国公開特許第２７  ５３  ６６８号公報から、トングによって把持された堆積体をこの堆積体上に載るプレスローラの下方で引通し、その際枚葉の間に封入されている空気を圧出する装置が知られている。この公報には、どのようにして下方へと運動するプレスローラとトング間の衝突を回避するかに関して、またどのようにしてトングの把持フインガーの手前で可能な限りこの把持フインガーに密接させてプレスローラの堆積体上への載置を保証するかに関しては何等開示されていない。
【０００５】
ドイツ連邦共和国公開特許第３４  ０３  ２０９号公報から、封入されている空気を除去するために、トングにより引かれる堆積体上に、封入されている空気を払拭するブラシ或いはローラの様式のストリッパーが旋回して載り、一方堆積体はこのストリッパーの下方を引通されるように構成されている装置が公知である。この装置のストリッパーは旋回レバーに設けられており、その運動のためには機械に比較的大きな側方のスペースが必要である。更に、このストリッパーは堆積体の高さに応じて、異なる位置で異なった角度で堆積体上に載置し、従って払拭効果が異なる。
【０００６】
【発明が解決しようとする課題】
本発明の根底をなす課題は、冒頭に記載した様式の装置を更に改良発展させることである。
【０００７】
【課題を解決するための手段】
上記の課題は本発明により、プレス機構が下方向に運動する際移動把持機構により案内されるように構成されていることによって解決される。
本発明による他の構成は特許請求の範囲の請求項２から１１に記載した。
特許請求の範囲の請求項２から５は、堆積体移送路の上方でのプレス機構の配設、移送路に対して収斂状に傾斜しておりかつトングによる堆積体の迅速な移送にあっても紙堆積体の上側に対するプレス機構の紙堆積体を傷めることのない載置を可能にするプレス機構案内部と、移動把持機構の位置に依存して紙堆積体上への載置が行われるまでプレス機構の下降運動の強制案内に関する。
【０００８】
特に、特許請求の範囲の請求項４と５によるプレス機構の強制案内は、プレス機構とトング間の衝突をなくすること、およびトングの紙堆積体を把持するグリッパの直前でのプレス機構の紙堆積体上への載置が可能であることを保証する。特許請求の範囲の請求項６は、プレス機構の移動把持機構による強制的な案内の特別な特徴を内容としている。
【０００９】
プレス機構として、例えばブラッシのような従来のストリッパーが使用される。
特許請求の範囲の請求項７により、プレス機構としてプレスローラが設けられており、このプレスローラはこれに作用する押圧力の下で、その下方を通過運動する紙堆積体の上面を転動し、その際紙堆積体の枚葉間に封込められている空気を確実に圧出する。このプレスローラが回転しているので、紙堆積体の上側内の枚葉内の引張り力が回避される。
【００１０】
特許請求の範囲の請求項８は、プレス機構の上昇運動と下降運動のための駆動機構に関しており、この駆動機構は一方ではプレス機構が下降運動した際でも移動把持機構による強制案内に必要な圧力と紙堆積体に対するプレス機構のプレス作用を可能にする。
特許請求の範囲の請求項９と１０は、移送路とプレス機構支承部の構成に関しており、この構成はプレス機構による紙堆積体に対する圧力の作用を許容し、かつ色々なサイズへの容易な適合を可能にする。
【００１１】
特許請求の範囲の請求項１１はプレス機構の上昇運動と下降運動のための駆動機構の特別な構成に関しており、この構成により構造スペースが僅かであっても極めて有効な機構が達せられる。
以下に添付した図面に図示した発明の実施の形態につき本発明を詳細に説明する。
【００１２】
【発明の実施の形態】
本発明による装置の図面に示した発明の実施の形態は移送路１を備えており、この移送路は紙堆積体３の第一の紙堆積体位置２を第二の紙堆積体位置４と結合している。第一の紙堆積体位置２は例えば側壁７を備えた収集ボックス６であり、この収集ボックス内には一枚一枚枚葉或いは紙或いは類似の材料から成る多数の枚葉の層が通常の方法で積層されて紙堆積体３を形成している。第二の紙堆積体位置４は、図面に詳細に図示していないが、排送コンベヤであり、この排送コンベヤは到来する紙堆積体を接続されている次位処理ステーション、例えば包装機へと排送する。
【００１３】
移送路１には移動把持機構８が所属している。この移動把持機構は、矢印９の方向で移送路１に対して平行に運動し、これにより一つ或いは多数の互いに並列して設けられているそのトング１１で、紙堆積体３を第一の紙堆積体位置２から第二の紙堆積体位置４内に移送するように通常の様式で構成され、かつ駆動される。トング１１は下方グリッパ１２と上方グリッパ１３とから成り、これらのグリッパでもってトングは紙堆積体３を把持し、これを第一の紙堆積体位置２から第二の紙堆積体位置４内への移送の間固持する。移送路、第一と第二の紙堆積体位置並びに移動把持機構とトングとから成る装置は、通常の様式で構成されており、従ってここでは詳しく説明しない。この構成に関しては、ドイツ連邦共和国特許公開第４１  １６  ９６９号公報（米国特許第５，２３３，８１５号に相当）を参照されたい。この公報には、どのようにして紙堆積体が第一の位置２で収集され、トングにより第二の位置４に引込まれるかが開示されている。
【００１４】
移送路１の両側でこの移送路１に対して収斂状に傾斜して、図示していない機枠に設けられているプレス機構案内条片１４に沿って、プレス機構スライダ１６が上昇および下降可能に案内されている。このプレス機構スライダ１６はそれぞれプレス機構案内部（条片）１４に所属していてかつ図示した発明の実施の形態にあっては板状に形成している二つの側方担持体１７から成り、これらの側方担持体はトラバース１８を介して互いに結合されている。各々の側方担持体１７にはピストンを備えていない空圧シリンダ１９が設けられており、この空圧シリンダ内にプレス機構案内部（条片）１４がまとめらて内蔵されている。このプレス機構案内部（条片）がまとめらて内蔵されているこの空圧シリンダ１９はプレス機構スライダ１６の駆動機構として働き、このプレス機構スライダは６をプレス機構案内部（条片）の沿って運動させる。プレス機構案内部（条片）の両端部に弾性的に設けられているストッパ２１と２２はプレス機構スライダ１６の上方位置と下方位置内で緩衝部材として働く。
【００１５】
プレスローラ２４の様式のプレス機構２３は両側で側方担持体１７内に支承されている。更に、プレスローラの軸２６は両側方担持体１７に固定されており、、従ってプレスローラは移送路１と位置２と４の全作業幅にわたって延在している。軸２６の端部は本発明の図示した発明の実施の形態にあっては長孔２７内を摺動する。これにより紙堆積体３の高さに対するプレスローラ２４の位置の適合が可能となる。
【００１６】
移動把持機構８は、プレス機構スライダ１６に面している側において、少なくとも一つの本質的な垂直な案内面２８を備えている。この案内面２８は本質的に垂直方向に指向していてかつ側方担持体１７の端面に設けられている滑り面２９（接触装置）に対応している。本発明の図示した発明の実施の形態にあっては、上記の滑り面２９は垂直な滑り条片として形成されており、この滑り条片は少なくともプレス機構スライダ１６が下降運動する際に移動把持機構８の案内面２８に沿って下方へと滑動する。
【００１７】
プレス機構スライダのための、プレス機構案内部（条片）がまとめて内蔵されているピストンを備えていない空圧シリンダから成る駆動機構は、例えばドイツ連邦共和国Ｄ−７０７９４フイルデルシュタット  インドウストリーシュトラーセ８在のオリガ  ゲエムベハー  プノイマテイーク社により、Ｐ２３０のシリーズ商品名で販売されている。
【００１８】
収集ボックス６内には、互いに重ねられた枚葉から成る、或いは類似の材料から成る枚葉の堆積体３、いわゆる連が収集される。その際、一般に互いに重ねられた枚葉間に紙堆積体の形状を不安定にする空気が封入される。従って、紙堆積体をその移送および次位処理、例えば包装のためにより安定にし、かつ荷崩れに対する持久性を改善するために、一枚一枚の枚葉間の、もしくは紙堆積体から成る枚葉層間の空気を圧出するための特別な処置が必要である。説明を簡単にするために、以下の説明は唯一の紙堆積体に関しての説明であるが、作業が概して多様に行なわれ、従って同時に順次多数の紙堆積体が形成され、多くのトングで第一の位置から第二の位置へと移送され、空気を圧出するために処理が行なわれる紙処理工程をも包含する。即ち、以下の説明においてはただ一つの紙堆積体に関しての説明であるが、この説明は多様な機械における多数の紙堆積体の同時の処理にも妥当することである。
【００１９】
紙堆積体３が第一の位置２おいて、即ち収集ボックス６内で完成されている場合、トング１１のグリッパ１２と１３がこの紙堆積体を、図１に示すように、その前面の上側と下側を捕捉するようにして、移動把持機構８のトング１１はこの紙堆積体を引取る。移動把持機構の前側の案内面２８にはプレス機構スライダ１６の垂直な滑り面２９が当接しており、この滑り面はその上方の位置においてプレス機構案内部（条片）１４の傍らに存在している。ここで紙堆積体３を引出すために移動把持機構８が矢印９の方向で右側に運動すると、プレス機構スライダ１６はプレス機構案内部（条片）１４に沿って移送路１に対して斜め方向で、プレス機構２４が紙堆積体３の表面上に載置されるまで、下降する。この下降運動は空圧シリンダ１９によって支援され、この空圧シリンダはプレス機構スライダをプレス機構案内部（条片）１４に沿って下方へと押し、これにより移動把持機構の案内面２８とプレス機構スライダ１６の滑り面２９間の確実な接触が維持される。プレス機構２４の載置は図２に示した。弾性的なストッパー２１はこの載置を緩衝する。従ってプレス機構２４の紙堆積体３の表面とのこの紙堆積体の傷みを伴うことのない接触が行なわれる。プレス機構２４が紙堆積体３に載置する領域内において、移送路１上に均衡板３１が設けられており、、この均衡板は下方グリッパ１２上に載っている紙堆積体の下側と移送路１の表面間の高さの違いを均す。
【００２０】
図２から明白に認められるように、プレス機構（プレスローラ）２４は常にトングの上方グリッパ１３の直ぐ手前で紙堆積体３の上に載る。プレス機構は空圧シリンダ１９により紙堆積体３の表面に対して押圧され、トング１１により更に右方向へと引出される紙堆積体により回転させられる。紙堆積体３はトング１１により更に右方向へと運動させられ、その際移動把持機構の案内面２８はプレス機構スライダ１６の滑り面２９から遠ざかるが、他方プレス機構２４は空圧シリンダ１９の圧力下に紙堆積体３の表面上を転動し、この紙堆積体３内に封入されている空気が圧出される。
【００２１】
図３は作業の最終位置を示しており、この位置においてプレス機構２４は紙堆積体３の後方端部に到達し、ここでこの紙堆積体３から空気が完全に除去される。図３に示したこの位置から、プレス機構スライダ１６は空圧シリンダ１９が切換えられることにより逆転してその上方の出発位置に戻る。この出発位置においてプレス機構スライダは、このプレス機構スライダの反動エネルギーを緩衝するストッパー２２に当接保持される。プレス機構（プレスローラ）２４を備えたプレス機構スライダ１６は次の作業工程のための準備状態が整えられ、移動把持機構８がその図１に示した位置、即ちその案内面２８がプレス機構スライダ１６の滑り面２９に再び当接する位置に戻ると直ちに、次の作業工程が開始される。
【００２２】
紙堆積体３が異なる高さで処理されるような場合、側方の長孔２７内でのプレス機構２４の軸の固定位置が相応して変えられる。このようにして、プレス機構２４は紙堆積体の高さに関係なく常にトングの手前の同じ距離でこの紙堆積体に載る。この作業状態は再生可能な作業結果をもたらす。
【００２３】
【発明の効果】
本発明による装置は構造が簡単であり、構造に要するスペースも僅かであり、機械の側縁を僅かしか越えてない構造である点で優れている。プレス機構の下降運動の制御は移動把持機構の運動との厳しい関連の下に行なわれ、従ってプレス機構とトングとの衝突が回避され、プレス機構はトングのグリッパの直ぐ手前で紙堆積体上に載る。プレス機構は−トングに関して−紙堆積体の高さに関係なく常に同じ位置で紙堆積体に載る。その際、異なる高さへの調節は極めて簡単である。
【図面の簡単な説明】
【図１】本発明による装置の第一の作業位置での側面図である。
【図２】本発明による装置の第二の作業位置での側面図である。
【図３】本発明による装置の第三の作業位置での側面図である。
【符号の説明】
１  移送路
２  第一の位置
３  紙堆積体
４  第二の位置
６  収集ボックス
７  側壁
８  移動把持機構
９  矢印
１１  トング
１２  下方グリッパ
１３  上方グリッパ
１４  プレス機構案内部（条片）
１６  プレス機構スライダ
１７  側方担持体
１８  トラバース
１９  空圧シリンダ
２１，２２  ストッパー
２３  プレス機構
２４  プレスローラ
２６  軸
２７  長孔
２８  案内面
２９  滑り面
３１  均衡板
【図１】
0003618904.tif 000002
【図２】
0003618904.tif 000003
【図３】
0003618904.tif 000004